(57)【要約】【課題】  携帯電話のアドレス情報をテンポラリでＭＦＰに読み込ませ、該アドレスをＭＦＰのセンド機能で使用できるようにする。【解決手段】  携帯電話のキャリア、型式の情報より最適なＵＩミドルウエアを選択して、画像形成装置のＵＩで動作するようにする。ＵＩにクリアキーの設置とアドレス情報の登録後タイマを起動させ、タイムアウトするとアドレス情報を削除する構成とする。【選択図】  図１
2007006220.tif 000002
【特許請求の範囲】
【請求項１】
携帯電話とのインタフェースを有する画像形成装置において、携帯電話のＵＩミドルウェアを相応数用意する手段と、通信を行う携帯電話の機器情報を入力可能とする手段と、該入力された携帯電話の機器情報に基づいて携帯電話のＵＩミドルウェアの中から最適なものを選択する手段と、該選択された携帯電話のＵＩミドルウェアを画像形成装置のＵＩ上のサブソフトウェアモジュールとして動作が可能になる手段と、該選択された携帯電話のＵＩミドルウェアを用いて携帯電話が有するアドレス情報を入力可能とする手段とを有することを特徴とする画像形成装置。
【請求項２】
入力可能な携帯電話の機器情報がキャリアと型式の情報であることを特徴とする請求項１に記載の画像形成装置。
【請求項３】
携帯電話から入力されたアドレス情報を、画像形成装置の機能であるセンド機能で使用するアドレスとして使用可能であることを特徴とする請求項１に記載の画像形成装置。
【請求項４】
携帯電話から入力されたアドレス情報を、ユーザの意思で消去するため非常に視認性の高い“クリアキー”をＵＩに有することを特徴とする請求項１に記載の画像形成装置。
【請求項５】
携帯電話から入力されたアドレス情報を、アドレス情報が入力されてから一定時間後、アドレス情報を削除することによって、ＵＩに有する“クリアキー”を押下することをユーザが忘れても、確実に消去することを特徴とする請求項１に記載の画像形成装置。
【発明の詳細な説明】
【技術分野】
【０００１】
本発明は携帯電話とのインタフェースを有する画像形成装置の中で、特にセンド（ネットワーク）機能を有する画像形成装置に関するものである。
【背景技術】
【０００２】
近年の情報通信インフラの整備によって、「いつでもどこでも気軽にネットワークにアクセス」できるようになったので、コンピュータだけでなく情報家電がネットワークに接続される「ユビキタス社会」の構築が進んでいる。
【０００３】
特にコンビニエンスストア等の公共の場にはコピー、プリンタ、センド（ネットワーク）、Ｆａｘの機能を持つ複合機（以下ＭＦＰ）が設置されている。今後ＭＦＰを用いてＦａｘの代わりにセンド機能を使用して、情報をネットワークを介してサーバ等の相手先に送信する機会が増えるものと思われる。
【０００４】
又、別の従来例としては、特許文献１及び特許文献２をあげることが出来る。
【特許文献１】特開２００２−１４９５４８号公報
【特許文献２】特開２００３−１５０４９３号公報
【発明の開示】
【発明が解決しようとする課題】
【０００５】
しかしながら、コンビニエンスストア等に設置されているＭＦＰからスキャンデータを非登録のアドレス先に送信する場合、アドレス情報がＭＦＰに登録されていないため、ＭＦＰのＵＩ操作キーから直接アドレス情報を入力せねばならないので非常に面倒である。また個人情報であるアドレス情報を公共の場に設置されているＭＦＰに登録する事はナンセンスである。
【０００６】
本提案では現在、個人情報保持メディアとして、老若男女を問わず使用されている携帯電話のアドレス情報をテンポラリでＭＦＰに読み込ませ、該アドレスをＭＦＰのセンド機能で使用できる機能について提案する。
【０００７】
携帯電話のアドレス情報を入手するにあたり、以下の問題点がある。
【０００８】
１）キャリア、デバイスの型式によりアドレスフォーマットが異なる。
【０００９】
２）ＭＦＰへの入力後のアドレス情報がＭＦＰに残ってしまうため、個人情報が流出する。
【００１０】
３）初めてＭＦＰを使用する人が戸惑うことなく、利用できるＵＩが提供されていない。
【課題を解決するための手段】
【００１１】
本発明は以下の手段を有することによって、上記問題点を解決することができる。
【００１２】
１）携帯電話のＵＩミドルウェアを相応数用意する手段。
【００１３】
２）通信を行う携帯電話の機器情報を入力可能とする手段。
【００１４】
３）入力された携帯電話の機器情報に基づいて携帯電話のＵＩミドルウェアの中から最適なものを選択する手段。
【００１５】
４）選択された携帯電話のＵＩミドルウェアを画像形成装置のＵＩ上のサブソフトウェアモジュールとして動作が可能になる手段。
【００１６】
５）選択された携帯電話のＵＩミドルウェアを用いて、携帯電話が有するアドレス情報を入力可能とする手段。
【００１７】
６）携帯電話から入力されたアドレス情報を、画像形成装置の機能であるセンド機能で使用するアドレスとして使用が可能になる手段。
【００１８】
７）携帯電話から入力されたアドレス情報を、ユーザの意思で消去するため非常に視認性の高い“クリアキー”をＵＩに有する手段。
【００１９】
８）携帯電話から入力されたアドレス情報を、アドレス情報が入力されてから一定時間後、アドレス情報を削除することによって、ＵＩに有する“クリアキー”を押下することをユーザが忘れても、確実に消去する手段。
【発明の効果】
【００２０】
以上説明したように以下の手段を有する。
【００２１】
１）携帯電話のＵＩミドルウェアを相応数用意する手段。
【００２２】
２）通信を行う携帯電話の機器情報を入力可能とする手段。
【００２３】
３）入力された携帯電話の機器情報に基づいて携帯電話のＵＩミドルウェアの中から最適なものを選択する手段。
【００２４】
４）選択された携帯電話のＵＩミドルウェアを画像形成装置のＵＩ上のサブソフトウェアモジュールとして動作が可能になる手段。
【００２５】
５）選択された携帯電話のＵＩミドルウェアを用いて、携帯電話が有するアドレス情報を入力可能とする手段。
【００２６】
６）携帯電話から入力されたアドレス情報を、画像形成装置の機能であるセンド機能で使用するアドレスとして使用が可能になる手段。
【００２７】
７）携帯電話から入力されたアドレス情報を、ユーザの意思で消去するため非常に視認性の高い“クリアキー”をＵＩに有する手段。
【００２８】
８）携帯電話から入力されたアドレス情報を、アドレス情報が入力されてから一定時間後、アドレス情報を削除することによって、ＵＩに有する“クリアキー”を押下することをユーザが忘れても、確実に消去する手段。
【００２９】
その結果、以下の効果がある。
【００３０】
１）キャリア、デバイスの型式によりアドレスフォーマットが異なる場合においても、携帯電話のアドレス情報がＭＦＰのセンド機能で使用可能となる。
【００３１】
２）ＭＦＰへの入力後のアドレス情報を確実に消去するため、個人情報が流出することはない。
【００３２】
３）いつも利用している携帯電話のＵＩをＭＦＰでも利用できるので、初めてＭＦＰを使用する人が戸惑うことなくＭＦＰを利用することができる。
【００３３】
更に、これまで個人情報をＭＦＰに入力するために、ＵＳＢメモリ、ＩＣカード、無線タグを利用するというアイディアが出ていたが、どれも特定組織内での運営に適したもので、パブリック環境でのテンポラリ利用には適していなかった。本提案により個人情報を極めて容易にパブリックＭＦＰで入力可能になるので、パブリックＭＦＰの利用需要の増大が期待できるという効果もある。
【発明を実施するための最良の形態】
【００３４】
次に、本発明の詳細を実施例の記述に従って説明する。
【実施例１】
【００３５】
以下全体構成、画像形成装置の断面図、光学ユニットブロック図、コントローラブロック図、及び画像形成装置の処理を説明するフローチャートを用いて実施例１を説明する。
【００３６】
＜全体構成＞
図１は本実施例を示す全体構成である。
【００３７】
101は画像形成装置である。
【００３８】
102は携帯電話である。
【００３９】
103はネットワークケーブルであり、画像形成装置101と他の画像形成装置及び、公衆網を接続している。
【００４０】
104は携帯電話インタフェースであり、画像形成装置101と携帯電話102との通信を行っている。
【００４１】
＜画像形成装置の断面図、光学ユニットブロック図＞
図２は画像形成装置の断面図、図３は画像形成装置の光学ユニットブロック図である。
【００４２】
図２において、227は画像形成装置本体であり、外部クライアントPCから送られる、プリンタ言語で記述されたコードデータやイメージデータを受け、これらのデータに基づいて１ページ分のマゼンタ、シアン、イエロー、ブラックの多値画像データを生成する画像生成部制御手段（=コントローラ）201（以下、単に「コントローラ」と記すことがある）と、入力多値画像データに応じて変調したレーザビームを感光ドラム上に走査することにより潜像を形成し、これを記録紙に転写した後定着させるという一連の電子写真プロセスによる記録を行う印刷部(=プリンタエンジン)203（以下エンジン）から構成される。226は操作のためのスイッチおよびＬＣＤ表示器等が配されている操作パネルである。
【００４３】
コントローラ201とプリンタエンジン203はインタフェース信号線202によって接続されている。主なインタフェース信号として、／ＲＤＹ，／ＰＲＮＴ，／ＴＯＰ，／ＬＳＹＮＣ、ＶＤＯ７〜ＶＤＯ０、ＶＣＬＫがあり、以下これについて簡単に説明する。
【００４４】
／ＲＤＹ信号は、コントローラに対してエンジンから送出される信号であって、エンジンが後述する／ＰＲＮＴ信号を受ければいつでもプリント動作を開始できる状態、またはプリント動作を継続できる状態にあることを示す信号である。
【００４５】
／ＰＲＮＴ信号は、エンジンに対してコントローラから送出される信号であって、プリント動作の開始、またはプリント動作の継続を指示する信号である。
【００４６】
／ＴＯＰ信号は、副走査（垂直走査）方向の同期信号であって、コントローラに対してエンジンから送出される。
【００４７】
／ＬＳＹＮＣ信号は、主走査（水平走査）方向の同期信号であって、コントローラに対してエンジンから送出される。ＶＤＯ７〜ＶＤＯ０信号は、エンジンに対してコントローラから送出される画像信号であって、エンジンが印字すべき画像濃度情報を示す。ＶＤＯ７が最上位、ＶＤＯ０が最下位の８ビットで表わされる。エンジンでは、ＶＤＯ７〜ＶＤＯ０信号がFFＨで現像中のトナー色の最大濃度で印字し、00Ｈで印字しない。これらは転送同期信号ＶＣＬＫに同期して送出される。
【００４８】
次に図２及び図３を用いてプリンタエンジン203における動作を説明する。
【００４９】
プリンタエンジン203はプリンタコントローラ201から／ＰＲＮＴ信号を受け取ると、不図示の駆動手段により、感光ドラム204及び転写ドラム205を図示矢印方向に回転させる。続いて、ローラ帯電器206の帯電を開始し、感光ドラム204上の電位を所定の値に均一に帯電する。次に、給紙ローラ208によって、記録用紙カセット207から記録用紙225を転写ドラム205に給紙する。転写ドラム205は、中空の支持体上に誘電体シートを張ったもので、感光ドラム204と同速で矢印方向に回転する。この転写ドラム205に記録用紙225が供給されると、転写ドラムの支持体上に設けられたグリッパ209によって記録用紙225が保持され、吸着ローラ210及び吸着用帯電器211により記録用紙1225を転写ドラム205に吸着させる。同時に、現像装置の支持体212を回転させて、支持体212に支持された４つの現像装置213M、213C、213Y、213Bkのうち、第１のトナーであるマゼンタのトナーが入った現像装置213Mを感光ドラム204に対向させる。なお、213Cはシアンのトナーが入った現像装置、213Yはイエローのトナーが入った現像装置、213Bkはブラックのトナーが入った現像装置である。
【００５０】
一方、プリンタエンジン203は、転写ドラム204に吸着された記録用紙225の先端を検出器214によって検出し、所定のタイミングで垂直同期信号／ＴＯＰを発生してコントローラ201に送出する。コントローラ201は印字ページに対する最初の／ＴＯＰ信号を受け取ると、プリンタＲＡＭ内のページメモリに格納されている画像データのうち、第１の印字色であるマゼンタのデータを所定のタイミングで読み出す。読み出された８ビットの画像データＤ７〜Ｄ０は、画像信号ＶＤＯ７〜ＶＤＯ０としてＶＣＬＫ信号に同期してプリンタエンジンに送出される。
【００５１】
コントローラより出力されたＶＤＯ７〜ＶＤＯ０信号は図３に示すようにパルス幅変調回路301に入力され、レベルに応じたパルス幅（２５６段階）のレーザ駆動信号ＶＤＯとなり、レーザドライバ302に送出される。後述する現像時において、レーザ駆動信号ＶＤＯのパルス幅に応じてトナーの付着量が調節でき、それにより、各色２５６階調の濃淡が再現される。
【００５２】
次に、図３において前記レーザ駆動信号ＶＤＯに応じて駆動されるレーザダイオード303からのレーザビーム224は不図示のモータにより矢印方向に回転駆動される回転多面鏡304で偏向され、光路上に配置された結像レンズ305を経て、感光ドラム204上を主走査方向に走査し、感光ドラム204上に潜像を形成する。このとき、ビームディテクタ206はレーザビームの走査開始点を検出し、この検出信号から主走査の画像書き出しタイミングを決定するための水平同期信号である／ＬＳＹＮＣ信号が生成される。以上述べた主走査の動作が繰り返されて１ページ分のマゼンタの潜像が感光ドラム204上に形成されていく。
【００５３】
図２に戻り、感光ドラム204上に形成された潜像は上記マゼンタのトナーが入った現像装置213Mによって現像され、マゼンタのトナー像となる。このマゼンタのトナー像は、転写用帯電器216により、回転する転写ローラ205に吸着されている記録用紙225に転写される。この際、転写されずに感光ドラム204上に残ったトナーはクリーニング装置222によって除去される。以上の動作により、記録用紙225上に１ページ分のマゼンタのトナー像が形成される。
【００５４】
次に、現像装置の支持体212を回転させて、第２のトナーであるシアンのトナーが入った現像装置213Cを感光ドラム204に対向させる。続いて、マゼンタのときと同様に、転写ローラ205に吸着されたまま回転する記録用紙225の先端を検出器214で検出し、垂直同期信号／ＴＯＰを発生してコントローラ201に送出する。これを受けてコントローラ201はページメモリからシアンのデータを読み出す。以下、同様の動作により、記録用紙225上にはマゼンタのトナー像に重ねてシアンのトナー像が転写される。
【００５５】
更に、同様にして第３のトナーであるイエロー、第４のトナーであるブラックのトナー像が記録用紙225上に重ねて転写され、フルカラーのトナー像となる。上記４色のトナー像が全て転写された記録用紙225は、分離帯電器217を経て、分離爪218によって転写ドラム205から剥がされ、搬送手段219により定着装置220に供給される。また、このとき、転写ドラムクリーナ223によって転写ドラム表面の清掃が行なわれる。記録用紙上のトナー像は定着装置220で加熱、加圧されることによって熔融固着され、最終的なカラー出力画像となる。そして記録の終了した記録用紙は排紙トレイ221に排紙される。
【００５６】
＜画像形成装置のコントローラブロック図＞
図4は画像形成装置のコントローラブロック図である。
【００５７】
401はクライアントPCである。
【００５８】
402は画像形成装置内の受信バッファであり、クライアントPC401よりコマンド及びデータ等の受信バッファを一時的に蓄える。
【００５９】
403はROMであり、後述する図５のフローチャートによる一連の制御を実現するためのプログラムや内蔵フォント等が格納されている。
【００６０】
404はROM403上にあるコマンド制御部である。
【００６１】
405はROM403上にある中間データオブジェクト作成部であり、描画処理を行い、RAM416上にあるPDLデータメモリ417に格納されているPDLデータより中間データオブジェクトを作成し、RAM416上にある中間データオブジェクトメモリ418に格納する。
【００６２】
406はROM403上にあるレンダリングデータ作成部であり、レンダリング処理を行い、RAM416上にある中間データオブジェクトメモリ418に格納されている中間データオブジェクトをバンド単位でレンダリングデータ（ビットマップデータ）に落とし、RAM416上にあるレンダリングバンドメモリ420にレンダリングデータを格納する。
【００６３】
407はROM403上にあるスキャナ画像処理部であり、スキャナ部429から来る画像データの処理を行う。
【００６４】
408はROM403上にある携帯電話ＵＩミドルウエア制御部である。主な制御は以下の3点である。
【００６５】
１）携帯電話からのキャリア、型式よりHDD431上に格納されている複数ある携帯電話ＵＩミドルウエア432から最適な携帯電話ＵＩミドルウエアを選択し、RAM416上の携帯ＵＩミドルウエアメモリ421に一時的に転送する。
【００６６】
２）携帯電話からのアドレス情報をRAM416上の携帯アドレスメモリに一時的に格納する。
【００６７】
３）パネル部429の“クリアキー”押下もしくはタイムアウトによって該携帯アドレスメモリ上の携帯電話からのアドレス情報を削除する。
【００６８】
409はROM403上にある携帯電話インタフェース制御部であり、画像形成装置と携帯電話とのインタフェースを制御する。
【００６９】
410はROM403上にある画像回転部であり、スキャナ画像、プリント画像を回転し、RAM416上の画像回転メモリ422に格納する。
【００７０】
411はROM403上にある画像圧縮部であり、スキャナ画像、プリント画像を圧縮し、RAM416上の画像圧縮メモリ423に格納する。
【００７１】
412はROM403上にあるネットワーク制御部である。
【００７２】
413はROM403上にあるパネルインタフェース制御部である。
【００７３】
414はROM403上にあるデバイスインタフェース制御部である。
【００７４】
415はＣＰＵである。
【００７５】
416はＲＡＭである。
【００７６】
417はＲＡＭ416上にあるＰＤＬデータメモリであり、コマンド制御部404でコマンド解析のデータを格納する。
【００７７】
418はＲＡＭ416上にある中間データオブジェクトメモリであり、ＰＤＬデータメモリ417に格納されているＰＤＬデータから中間データオブジェクト作成部405により作成された中間データオブジェクトを格納する。
【００７８】
419はＲＡＭ416上にあるレンダリングバンドメモリであり、中間データオブジェクトメモリ418に格納されている中間オブジェクトからレンダリングデータ作成部406により作成されたレンダリングオブジェクトを格納する。
【００７９】
420はRAM416上にあるレンダリングデータメモリであり、1ページ分のレンダリングデータを格納する。
【００８０】
421はRAM416上にある携帯ＵＩミドルウエアメモリであり、HDD431から選択された携帯ＵＩミドルウエア432を格納する。
【００８１】
422はRAM416上にある画像回転メモリであり、画像回転部410により作成された回転された画像オブジェクトを格納する。
【００８２】
423はRAM416上にある画像圧縮メモリであり、画像圧縮部411により作成された圧縮された画像オブジェクトを格納する。
【００８３】
424はRAM416上にある携帯アドレスメモリであり、携帯電話から入力されたアドレス情報を一時的に格納する。
【００８４】
425はレンダリングデータメモリ420にあるレンダリングデータをエンジン428に転送するエンジン転送部である。
【００８５】
426はパネル429とのインタフェースを行うパネルインタフェース部である。
【００８６】
427はスキャナ430とのインタフェースを行うデバイスインタフェース部である。
【００８７】
428は画像形成装置のエンジンである。
【００８８】
429は画像形成装置のパネル部である。
【００８９】
430は画像形成装置のスキャナ部である。
【００９０】
431はハードディスクである。
【００９１】
432はハードディスク431上にある携帯ＵＩミドルウエアであり、予め複数個用意されている。
【００９２】
＜画像形成装置の処理の説明＞
次に図２〜図４のハード構成を有する画像形成装置の処理を図５のフローチャートに従って説明する。
【００９３】
S501でＵＩ画面から携帯電話のキャリアと型式の情報を入力する。
【００９４】
S502で入力されたキャリアと型式の情報からHDD上に格納されている携帯ＵＩミドルウエアの中で最適なものを選択する。
【００９５】
S503で選択された携帯ＵＩミドルウエアをＵＩに表示する。
【００９６】
＜画像形成装置上のＵＩ遷移の説明＞
次に画像形成装置上のＵＩの遷移を図６のＵＩ遷移図を用いて説明する。
【００９７】
S601で“あなたのケータイは〔D社、A社、V社〕”というメッセージが表示される。
【００９８】
S601でＤ社を選択すると、S602で“あなたのモデルは〔567、543、555、その他〕”というメッセージが表示される。
【００９９】
S602でＡ社を選択すると、S603で“あなたのモデルは〔222、333、444、その他〕”というメッセージが表示される。
【０１００】
S602でＶ社eを選択すると、S604で“あなたのモデルは〔890、876、888、その他〕”というメッセージが表示される。
【０１０１】
携帯電話の型式を入力すると、S605で“しばらくお待ちください”というメッセージが表示される。該メッセージが表示中、携帯電話のキャリアと型式の情報より、ＨＤＤに格納されている携帯電話のＵＩミドルウエアの中で最適なものを選択し、ＵＩに表示される。
【実施例２】
【０１０２】
以下全体構成、画像形成装置の断面図、光学ユニットブロック図、コントローラブロック図、及び画像形成装置の処理を説明するフローチャートを用いて実施例２を説明する。
【０１０３】
＜全体構成＞
図１は本実施例を示す全体構成である。
【０１０４】
101は画像形成装置である。
【０１０５】
102は携帯電話である。
【０１０６】
103はネットワークケーブルであり、画像形成装置101と他の画像形成装置及び、公衆網を接続している。
【０１０７】
104は携帯電話インタフェースであり、画像形成装置101と携帯電話102との通信を行っている。
【０１０８】
＜画像形成装置の断面図、光学ユニットブロック図＞
図２は画像形成装置の断面図、図３は画像形成装置の光学ユニットブロック図である。
【０１０９】
図２において、227は画像形成装置本体であり、外部クライアントPCから送られる、プリンタ言語で記述されたコードデータやイメージデータを受け、これらのデータに基づいて１ページ分のマゼンタ、シアン、イエロー、ブラックの多値画像データを生成する画像生成部制御手段（=コントローラ）201（以下、単に「コントローラ」と記すことがある）と、入力多値画像データに応じて変調したレーザビームを感光ドラム上に走査することにより潜像を形成し、これを記録紙に転写した後定着させるという一連の電子写真プロセスによる記録を行う印刷部(=プリンタエンジン)203（以下エンジン）から構成される。226は操作のためのスイッチおよびＬＣＤ表示器等が配されている操作パネルである。
【０１１０】
コントローラ201とプリンタエンジン203はインタフェース信号線202によって接続されている。主なインタフェース信号として、／ＲＤＹ，／ＰＲＮＴ，／ＴＯＰ，／ＬＳＹＮＣ、ＶＤＯ７〜ＶＤＯ０、ＶＣＬＫがあり、以下これについて簡単に説明する。
【０１１１】
／ＲＤＹ信号は、コントローラに対してエンジンから送出される信号であって、エンジンが後述する／ＰＲＮＴ信号を受ければいつでもプリント動作を開始できる状態、またはプリント動作を継続できる状態にあることを示す信号である。
【０１１２】
／ＰＲＮＴ信号は、エンジンに対してコントローラから送出される信号であって、プリント動作の開始、またはプリント動作の継続を指示する信号である。
【０１１３】
／ＴＯＰ信号は、副走査（垂直走査）方向の同期信号であって、コントローラに対してエンジンから送出される。
【０１１４】
／ＬＳＹＮＣ信号は、主走査（水平走査）方向の同期信号であって、コントローラに対してエンジンから送出される。ＶＤＯ７〜ＶＤＯ０信号は、エンジンに対してコントローラから送出される画像信号であって、エンジンが印字すべき画像濃度情報を示す。ＶＤＯ７が最上位、ＶＤＯ０が最下位の８ビットで表わされる。エンジンでは、ＶＤＯ７〜ＶＤＯ０信号がFFＨで現像中のトナー色の最大濃度で印字し、00Ｈで印字しない。これらは転送同期信号ＶＣＬＫに同期して送出される。
【０１１５】
次に図２及び図３を用いてプリンタエンジン203における動作を説明する。
【０１１６】
プリンタエンジン203はプリンタコントローラ201から／ＰＲＮＴ信号を受け取ると、不図示の駆動手段により、感光ドラム204及び転写ドラム205を図示矢印方向に回転させる。続いて、ローラ帯電器206の帯電を開始し、感光ドラム204上の電位を所定の値に均一に帯電する。次に、給紙ローラ208によって、記録用紙カセット207から記録用紙225を転写ドラム205に給紙する。転写ドラム205は、中空の支持体上に誘電体シートを張ったもので、感光ドラム204と同速で矢印方向に回転する。この転写ドラム205に記録用紙225が供給されると、転写ドラムの支持体上に設けられたグリッパ209によって記録用紙225が保持され、吸着ローラ210及び吸着用帯電器211により記録用紙1225を転写ドラム205に吸着させる。同時に、現像装置の支持体212を回転させて、支持体212に支持された４つの現像装置213M、213C、213Y、213Bkのうち、第１のトナーであるマゼンタのトナーが入った現像装置213Mを感光ドラム204に対向させる。なお、213Cはシアンのトナーが入った現像装置、213Yはイエローのトナーが入った現像装置、213Bkはブラックのトナーが入った現像装置である。
【０１１７】
一方、プリンタエンジン203は、転写ドラム204に吸着された記録用紙225の先端を検出器214によって検出し、所定のタイミングで垂直同期信号／ＴＯＰを発生してコントローラ201に送出する。コントローラ201は印字ページに対する最初の／ＴＯＰ信号を受け取ると、プリンタＲＡＭ内のページメモリに格納されている画像データのうち、第１の印字色であるマゼンタのデータを所定のタイミングで読み出す。読み出された８ビットの画像データＤ７〜Ｄ０は、画像信号ＶＤＯ７〜ＶＤＯ０としてＶＣＬＫ信号に同期してプリンタエンジンに送出される。
【０１１８】
コントローラより出力されたＶＤＯ７〜ＶＤＯ０信号は図３に示すようにパルス幅変調回路301に入力され、レベルに応じたパルス幅（２５６段階）のレーザ駆動信号ＶＤＯとなり、レーザドライバ302に送出される。後述する現像時において、レーザ駆動信号ＶＤＯのパルス幅に応じてトナーの付着量が調節でき、それにより、各色２５６階調の濃淡が再現される。
【０１１９】
次に、図３において前記レーザ駆動信号ＶＤＯに応じて駆動されるレーザダイオード303からのレーザビーム224は不図示のモータにより矢印方向に回転駆動される回転多面鏡304で偏向され、光路上に配置された結像レンズ305を経て、感光ドラム204上を主走査方向に走査し、感光ドラム204上に潜像を形成する。このとき、ビームディテクタ206はレーザビームの走査開始点を検出し、この検出信号から主走査の画像書き出しタイミングを決定するための水平同期信号である／ＬＳＹＮＣ信号が生成される。以上述べた主走査の動作が繰り返されて１ページ分のマゼンタの潜像が感光ドラム204上に形成されていく。
【０１２０】
図２に戻り、感光ドラム204上に形成された潜像は上記マゼンタのトナーが入った現像装置213Mによって現像され、マゼンタのトナー像となる。このマゼンタのトナー像は、転写用帯電器216により、回転する転写ローラ205に吸着されている記録用紙225に転写される。この際、転写されずに感光ドラム204上に残ったトナーはクリーニング装置222によって除去される。以上の動作により、記録用紙225上に１ページ分のマゼンタのトナー像が形成される。
【０１２１】
次に、現像装置の支持体212を回転させて、第２のトナーであるシアンのトナーが入った現像装置213Cを感光ドラム204に対向させる。続いて、マゼンタのときと同様に、転写ローラ205に吸着されたまま回転する記録用紙225の先端を検出器214で検出し、垂直同期信号／ＴＯＰを発生してコントローラ201に送出する。これを受けてコントローラ201はページメモリからシアンのデータを読み出す。以下、同様の動作により、記録用紙225上にはマゼンタのトナー像に重ねてシアンのトナー像が転写される。
【０１２２】
更に、同様にして第３のトナーであるイエロー、第４のトナーであるブラックのトナー像が記録用紙225上に重ねて転写され、フルカラーのトナー像となる。上記４色のトナー像が全て転写された記録用紙225は、分離帯電器217を経て、分離爪218によって転写ドラム205から剥がされ、搬送手段219により定着装置220に供給される。また、このとき、転写ドラムクリーナ223によって転写ドラム表面の清掃が行なわれる。記録用紙上のトナー像は定着装置220で加熱、加圧されることによって熔融固着され、最終的なカラー出力画像となる。そして記録の終了した記録用紙は排紙トレイ221に排紙される。
【０１２３】
＜画像形成装置のコントローラブロック図＞
図4は画像形成装置のコントローラブロック図である。
【０１２４】
401はクライアントPCである。
【０１２５】
402は画像形成装置内の受信バッファであり、クライアントPC401よりコマンド及びデータ等の受信バッファを一時的に蓄える。
【０１２６】
403はROMであり、後述する図８のフローチャートによる一連の制御を実現するためのプログラムや内蔵フォント等が格納されている。
【０１２７】
404はROM403上にあるコマンド制御部である。
【０１２８】
405はROM403上にある中間データオブジェクト作成部であり、描画処理を行い、RAM416上にあるPDLデータメモリ417に格納されているPDLデータより中間データオブジェクトを作成し、RAM416上にある中間データオブジェクトメモリ418に格納する。
【０１２９】
406はROM403上にあるレンダリングデータ作成部であり、レンダリング処理を行い、RAM416上にある中間データオブジェクトメモリ418に格納されている中間データオブジェクトをバンド単位でレンダリングデータ（ビットマップデータ）に落とし、RAM416上にあるレンダリングバンドメモリ420にレンダリングデータを格納する。
【０１３０】
407はROM403上にあるスキャナ画像処理部であり、スキャナ部429から来る画像データの処理を行う。
【０１３１】
408はROM403上にある携帯電話ＵＩミドルウエア制御部である。主な制御は以下の3点である。
【０１３２】
１）携帯電話からのキャリア、型式よりHDD431上に格納されている複数ある携帯電話ＵＩミドルウエア432から最適な携帯電話ＵＩミドルウエアを選択し、RAM416上の携帯ＵＩミドルウエアメモリ421に一時的に転送する。
【０１３３】
２）携帯電話からのアドレス情報をRAM416上の携帯アドレスメモリに一時的に格納する。
【０１３４】
３）パネル部429の“クリアキー”押下もしくはタイムアウトによって該携帯アドレスメモリ上の携帯電話からのアドレス情報を削除する。
【０１３５】
409はROM403上にある携帯電話インタフェース制御部であり、画像形成装置と携帯電話とのインタフェースを制御する。
【０１３６】
410はROM403上にある画像回転部であり、スキャナ画像、プリント画像を回転し、RAM416上の画像回転メモリ422に格納する。
【０１３７】
411はROM403上にある画像圧縮部であり、スキャナ画像、プリント画像を圧縮し、RAM416上の画像圧縮メモリ423に格納する。
【０１３８】
412はROM403上にあるネットワーク制御部である。
【０１３９】
413はROM403上にあるパネルインタフェース制御部である。
【０１４０】
414はROM403上にあるデバイスインタフェース制御部である。
【０１４１】
415はＣＰＵである。
【０１４２】
416はＲＡＭである。
【０１４３】
417はＲＡＭ416上にあるＰＤＬデータメモリであり、コマンド制御部404でコマンド解析のデータを格納する。
【０１４４】
418はＲＡＭ416上にある中間データオブジェクトメモリであり、ＰＤＬデータメモリ417に格納されているＰＤＬデータから中間データオブジェクト作成部405により作成された中間データオブジェクトを格納する。
【０１４５】
419はＲＡＭ416上にあるレンダリングバンドメモリであり、中間データオブジェクトメモリ418に格納されている中間オブジェクトからレンダリングデータ作成部406により作成されたレンダリングオブジェクトを格納する。
【０１４６】
420はRAM416上にあるレンダリングデータメモリであり、1ページ分のレンダリングデータを格納する。
【０１４７】
421はRAM416上にある携帯ＵＩミドルウエアメモリであり、HDD431から選択された携帯ＵＩミドルウエア432を格納する。
【０１４８】
422はRAM416上にある画像回転メモリであり、画像回転部410により作成された回転された画像オブジェクトを格納する。
【０１４９】
423はRAM416上にある画像圧縮メモリであり、画像圧縮部411により作成された圧縮された画像オブジェクトを格納する。
【０１５０】
424はRAM416上にある携帯アドレスメモリであり、携帯電話から入力されたアドレス情報を一時的に格納する。
【０１５１】
425はレンダリングデータメモリ420にあるレンダリングデータをエンジン428に転送するエンジン転送部である。
【０１５２】
426はパネル429とのインタフェースを行うパネルインタフェース部である。
【０１５３】
427はスキャナ430とのインタフェースを行うデバイスインタフェース部である。
【０１５４】
428は画像形成装置のエンジンである。
【０１５５】
429は画像形成装置のパネル部である。
【０１５６】
430は画像形成装置のスキャナ部である。
【０１５７】
431はハードディスクである。
【０１５８】
432はハードディスク431上にある携帯ＵＩミドルウエアであり、予め複数個用意されている。
【０１５９】
＜画像形成装置の処理の説明＞
次に図２〜図４のハード構成を有する画像形成装置の処理を図８のフローチャートに従って説明する。
【０１６０】
S801でＵＩ画面から携帯電話のキャリアと型式の情報を入力する。
【０１６１】
S802で入力されたキャリアと型式の情報からHDD上に格納されている携帯ＵＩミドルウエアの中で最適なものを選択する。
【０１６２】
S803で選択された携帯ＵＩミドルウエアをＵＩに表示する。
【０１６３】
S804で携帯電話からアドレス情報を画像形成装置へダウンロードする。
【０１６４】
S805で内部タイマを起動する。
【０１６５】
S806でユーザがクリアキーを押し忘れた場合でも、確実にアドレス情報を削除するために、内部タイマがタイムアウトしたかを常に監視する。
【０１６６】
S807で携帯電話からダウンロードされたアドレス情報をセンドで使用する宛先に使用する。
【０１６７】
S808でユーザがクリアキー押下したかどうかをチェックする。
【０１６８】
S808でクリアキーが押下されるか、もしくはS806で監視しているタイマがタイムアウトしたら、S809で内部タイマを停止する。
【０１６９】
S810で携帯電話からダウンロードされたアドレス情報を削除する。
【０１７０】
（他の実施例）
１）本実施例では画像形成装置はレーザビームを使用するプリンティングデバイスとしたが、レーザビームプリンタだけでなく、インクジェットプリンタ、ドットマトリクスプリンタ、熱転写プリンタ（昇華型を含む）、ＬＥＤプリンタ、液晶シャッタープリンタ等のプリンティングデバイスでも構わない。
【０１７１】
２）更に本実施例では描画データメモリをＲＡＭとしたが、それ以外のＲＡＭとしても構わない。
【０１７２】
３）更に本実施例ではＲＯＭでプログラム実行したが、プログラムをＲＡＭにダウンロードしても構わない。
【０１７３】
４）更に本実施例ではレンダリング処理を描画処理と同じＣＰＵで実行したが、レンダリング処理専用のＣＰＵで実行しても構わない。
【０１７４】
５）更に本実施例では描画処理を画像形成装置側で行ったが、ホストベースのドライバを使用することにより中間データオブジェクト作成までの処理を、クライアントPC側で行っても構わない。
【０１７５】
６）更に本実施例では携帯電話とのインタフェースを規定していないが、セキュリティが保てるインタフェースなら何使用しても構わない。
【０１７６】
７）更に本実施例ではキャリアをＤ社、Ａ社、Ｖ社eの３つに限定したが、Ｔ社及び海外機の場合、それ以外のキャリアを追加して選択しても構わない。
【０１７７】
８）更に本実施例では型式を各キャリアの最新機種４、5機種に限定したが、更に多くの型式を選択しても構わない。
【０１７８】
９）更に本実施例ではタイムアウト時間を特に規定していないが、タイムアウト時間を固定値にしても、ユーザによって変更可能な値にしても構わない。
【０１７９】
１０）更に本実施例ではユーザが画像形成装置から選択できない携帯電話のＵＩミドルウエアを動作させたい場合の処理を特に規定していないが、その場合ユーザに携帯電話のＵＩミドルウエアを使用不可能な旨を通知しても構わないし、最も近い携帯電話のＵＩミドルウエアを画像形成装置のＵＩ上に動作させても構わない。
【図面の簡単な説明】
【０１８０】
【図１】実施例１及び２の実施形態を示す全体構成
【図２】実施例１及び２の画像形成装置の断面図
【図３】実施例１及び２の画像形成装置の光学ユニットブロック図
【図４】実施例１及び２の画像形成装置のコントローラブロック図
【図５】実施例１の画像形成装置の処理に関するフローチャート
【図６】実施例１の画像形成装置のＵＩ遷移図
【図７】実施例１及び２の画像形成装置のＵＩ上にダウンロードされた携帯電話のＵＩミドルウエア
【図８】実施例２の画像形成装置の処理に関するフローチャート
【図１】
2007006220.tif 000003
【図２】
2007006220.tif 000004
【図３】
2007006220.tif 000005
【図４】
2007006220.tif 000006
【図５】
2007006220.tif 000007
【図６】
2007006220.tif 000008
【図７】
2007006220.tif 000009
【図８】
2007006220.tif 000010